(57)【特許請求の範囲】
【請求項１】
自動改札装置より送信される空中伝搬信号によって通信時に必要な動作用電力の供給を受けると共に、空中伝搬信号を介して前記自動改札装置との通信が可能に構成され、必要なデータが記憶される記憶手段を備えたＩＣタグを収納する携帯電話装置において、
ユーザが、前記自動改札装置に対応するチケット情報を購買可能なチケット販売センタと通信を行うことで前記チケット情報データを取得すると、前記チケット情報データを前記ＩＣタグの記憶手段に書き込むと共に、
ユーザのＩＤ情報が記憶されているＩＣカードを収納可能に構成されており、ユーザが前記チケット情報データを取得した場合に、その取得に要した料金の徴収を前記ＩＤ情報に基づいて行うことを特徴とする携帯電話装置。
【請求項２】
前記ＩＣタグは、装置本体の電源が投入されている場合は、通信時に必要な動作用電力を前記電源からも供給可能に構成されていることを特徴とする請求項１記載の携帯電話装置。
【請求項３】
Bluetooth（登録商標）通信部を備え、
Bluetooth通信部を備えた外部の端末を介して前記チケット販売センタと通信を行うことも可能に構成されていることを特徴とする請求項１又は２記載の携帯電話装置。
【請求項４】
ＵＳＢ通信部を備え、
ＵＳＢ通信部を備えた外部の端末を介して前記チケット販売センタと通信を行うことも可能に構成されていることを特徴とする請求項１又は２記載の携帯電話装置。
【請求項５】
前記ＩＣタグは、少なくともメモリーカードの規格に準拠して構成されていることを特徴とする請求項１乃至４の何れかに記載の携帯電話装置。
【請求項６】
前記記憶手段は、外部に取出し不能な状態で配置されていることを特徴とする請求項１乃至５の何れかに記載の携帯電話装置。
【請求項７】
基地局と通信するためのＲＦ部と、
このＲＦ部を制御する電話用制御部と、
これらに電源を供給する電源部とを備え、
前記ＲＦ部により前記チケット販売センタと通信を行うことで前記チケット情報を取得し、
前記電源部から供給される電源により、前記ＩＣタグの記憶手段に対する前記チケット情報の書き込みが行なわれ、
前記電源部から供給される電源と、前記自動改札装置より送信される空中伝搬信号により供給される動作用電力とにより、当該自動改札装置との通信を行うように構成されることを特徴とする請求項１乃至６の何れかに記載の携帯電話装置。
【請求項８】
基地局と通信するためのＲＦ部と、
このＲＦ部を制御する電話用制御部と、
これらに電源を供給する電源部とを備え、
前記ＲＦ部により前記チケット販売センタと通信を行うことで前記チケット情報を取得し、
前記電源部から供給される電源により、前記ＩＣタグの記憶手段に対する前記チケット情報の書き込みが行なわれ、
前記自動改札装置より送信される空中伝搬信号によって動作用電力の供給を受けると、
前記記憶手段に記憶されているデータを必要に応じて読出し、外部に送信するＩＣタグ制御部を備えることを特徴とする請求項１乃至６の何れかに記載の携帯電話装置。
【請求項９】
前記電源部から供給される電源と、前記空中伝搬信号により供給される動作用電力とにより、前記自動改札装置との通信を行うように構成されることを特徴とする請求項８記載の携帯電話装置。
【請求項１０】
請求項１乃至９の何れかに記載の携帯電話装置に使用されることを特徴とするＩＣタグ。
【発明の詳細な説明】
【０００１】
【発明の属する技術分野】
本発明は、非接触式の通信方式を利用した自動改札システムに利用することができる携帯電話装置並びにＩＣタグに関する。
【０００２】
【従来の技術】
現在、例えば、駅で使用される自動改札などにおいて、非接触式のＩＣカードを用いたシステムが実用化され始めている。このようなシステムでは、図１８に示すように、例えば鉄道の定期券のように利用可能な期間が記憶されているＩＣカード１を携帯した乗客が自動改札装置２を通過する際に、自動改札装置２とＩＣカード１との間で無線信号などにより自動的に通信が行われるようになっている。そして、その通信において、自動改札装置２は、ＩＣカード１に記憶されている利用可能期間を読取り参照することで乗客の利用が適性か否かを判断し、ゲートの開閉を制御して乗客の入場を許可したり、或いは禁止したりするようになっている。
【０００３】
斯様な自動改札システムによれば、ユーザは改札を通過する際に乗車券や定期券などを鞄やポケットなどから一々取り出す必要がないので利便性が良く、また、改札をよりスムーズに通過することができるので、通勤時間帯などにおける改札口付近の混雑を緩和することができる。
【０００４】
ところが、上記のような非接触式のＩＣカードを用いたシステムを、例えばスキー場の入退場管理に適用することを想定すると、ユーザが入場券のＩＣカードを購入するために混雑が生じることが予想される。即ち、スキー場では、一般に朝などの特定の時間帯にユーザが集中して入場券を購入することが多いため、ユーザは、入場券を購入するまで寒い中長時間待たされるおそれがある。
【０００５】
【発明が解決しようとする課題】
斯様な問題を解消するため、図１９に示すように、携帯電話装置３にBluetooth 通信部を備え、そのBluetooth 通信部を介して自動改札改札装置４と無線通信を行い、携帯電話装置３の内部に収納されるＳＩＭ(Subscriber Identification Module)カード（または銀行によって発行されるＩＣカード，図示せず）等に記憶されているＩＤ情報や利用可能期間を認識することで同様のサービスを実現することが考えられている。
【０００６】
しかしながら、この場合、携帯電話装置３に収納されているバッテリが消耗してしまうとＳＩＭカード等やBluetooth 通信部も動作不能となるため、ユーザは、改札を通過できなくなってしまう。このように、突然にサービスが利用不能となる事態は、ユーザの利便性を考慮する上で極力回避する必要がある。
【０００７】
本発明は上記事情に鑑みてなされたものであり、その目的は、ユーザの利便性をより向上させることができる自動改札システムに使用される携帯電話装置並びにＩＣタグを提供することにある。
【０００８】
【課題を解決するための手段】
請求項１記載の携帯電話装置によれば、自動改札装置より送信される空中伝搬信号によって通信時に必要な動作用電力の供給を受け、空中伝搬信号を介して自動改札装置との通信が可能に構成されるＩＣタグを収納する。そして、ユーザが、チケット販売センタと通信を行うことで自動改札装置に対応するチケット情報データを取得すると、チケット情報データをＩＣタグの記憶手段に書き込む。
【０００９】
即ち、ユーザがその携帯電話装置を携帯した状態で自動改札装置を通過すると、自動改札装置より送信される空中伝搬信号によって携帯電話装置内部のＩＣタグに動作用電源が供給され、両者間で通信が行われる。そして、自動改札装置がＩＣタグよりチケット情報を取得し必要な処理を行うことで、ユーザは、該自動改札装置が設けられている施設を利用することができる。
【００１０】
従って、ユーザは、従来とは異なり、自動改札を利用するために長時間並ぶなどしてＩＣカード等を購入する必要がなくなり利便性を向上させることができる。また、ＩＣタグには、自動改札装置より送信される空中伝搬信号によって動作用電源が供給されるので、携帯電話装置に電源が投入されていない状態でも自動改札を利用することが可能となる。
【００１１】
また、携帯電話装置は、ユーザがチケット情報データを取得した場合に、その取得に要した料金の徴収をユーザのＩＤ情報が記憶されているＩＣカードを介して行う。ここで言うＩＣカードとは、ＳＩＭ(Subscriber Identification Module)カードや銀行のオンラインシステムに使用されるＩＣカード等である。これらのＩＣカードを利用すれば、携帯電話装置のハードウエアに依存することなく、ＩＤ情報に基づいてＩＣカードの所有者毎に料金の徴収を行うことができるので、システムをより柔軟な形態で使用することが可能となる。
【００１３】
請求項２記載の携帯電話装置によれば、ＩＣタグを、装置本体の電源が投入されている場合は、通信時に必要な動作用電力を電源からも供給可能に構成する。即ち、携帯電話装置の電源を利用すれば、ＩＣタグの送信電力をより大きく設定することができるので、ユーザは、携帯電話装置を手に取るなどして自動改札装置に近付ける必要がなくなり、例えば、衣服のポケットに収納したままの状態や、鞄の中に入れたままの状態でも自動改札を利用することができるようになる。
【００１４】
請求項３記載の携帯電話装置によれば、Bluetooth 通信部を備えた外部の端末を介してチケット販売センタと通信を行うことも可能に構成するので、チケット情報を取得するための通信形態をより多様にすることができる。
【００１５】
請求項４記載の携帯電話装置によれば、ＵＳＢ通信部を備えた外部の端末を介して前記チケット販売センタと通信を行うことも可能に構成するので、請求項３と同様の効果が得られる。
【００１６】
請求項５記載の携帯電話装置によれば、ＩＣタグを、少なくともメモリーカードの規格に準拠して構成する。ここで言うメモリーカードは、例えば、ＳＤメモリー，メモリースティック，マジックゲートメモリースティックなどの総称である。斯様なメモリーカードの規格に準拠した構成とすることで、ＩＣタグをメモリーカードに対応したスロットを備えた他の製品に挿入してより多様な形態で使用することができる。
【００１７】
請求項６記載の携帯電話装置によれば、記憶手段を、外部に取出し不能な状態で配置する。
請求項７記載の携帯電話装置によれば、ＲＦ部によりチケット販売センタと通信を行うことでチケット情報を取得し、電源部から供給される電源によりＩＣタグの記憶手段に対するチケット情報の書き込みが行なわれ、電源部から供給される電源と、自動改札装置より送信される空中伝搬信号により供給される動作用電力とにより、当該自動改札装置との通信を行う。
請求項８記載の携帯電話装置によれば、ＲＦ部によりチケット販売センタと通信を行うことでチケット情報を取得し、電源部から供給される電源によりＩＣタグの記憶手段に対するチケット情報の書き込みが行なわれ、自動改札装置より送信される空中伝搬信号によって動作用電力の供給を受けると、ＩＣタグ制御部が記憶手段に記憶されているデータを必要に応じて読出し、外部に送信する。
請求項９記載の携帯電話装置によれば、電源部から供給される電源と、空中伝搬信号により供給される動作用電力とにより自動改札装置との通信を行う。
【００１８】
【発明の実施の形態】
（第１実施例）
以下、本発明の第１実施例について図１乃至図４を参照して説明する。自動改札システム全体の構成を示す図１において、本実施例のシステムは、自動改札装置１１，携帯電話装置１２及びその携帯電話装置１２に収納されるＩＣタグ１３，携帯電話装置１２と基地局１４を介して通信を行うチケット販売センタ１５で構成される。携帯電話装置１２は、図２に示すように、ケース１６の底部側にＩＣタグ１３（ＩＣカードと同様の外形である）を収納するためのスロット１６ａを有している。そして、ＩＣタグ１３は、携帯電話装置１２に収納されると、表面に配置されているコンタクト１３ａによって内部の電気的構成と接続されるようになっている。
【００１９】
携帯電話装置１２は、携帯電話装置本来の機能をなすための電話部１２ａを備えており、その電話部１２ａは、概略的に、例えば８００ＭＨｚ帯で基地局１４と通信を行うためのＲＦ部１７，マイクロコンピュータを中心として構成される制御部１８及びこれらに動作用電源を供給するための電源部１００とで構成されている。
【００２０】
一方、ＩＣタグ１３は、同様にマイクロコンピュータを中心として構成される制御部１９，通信データ記憶用のメモリー（記憶手段）２０，通信用の受信系２１及び送信系２２等を備えている。これらの受信系２１及び送信系２２は、制御部１９が、自動改札装置１１側に収納されている制御部２３と、送信系２４及び受信系２５を介して例えば無線信号（空中伝搬信号）により通信を行うための構成である。
【００２１】
また、ＩＣタグ１３は、電力作成部２６を備えている。この電力作成部２６は、自動改札装置１１側の送信系２４より送信される信号を受信系２１とは別系統で受信して低域濾波し平滑化することにより、制御部１９などを動作させるための電力を作成して供給するようになっている。
【００２２】
尚、電話部１２ａの電源部１００は、後述するように、電話部１２ａの制御部１８がＩＣタグ１３のメモリー２０に対してデータの書き込み処理を行う場合にだけ、コンタクト１３ａを介してＩＣタグ１３にも動作用電源を供給するようになっている。
【００２３】
次に、本実施例の作用について図３及び図４をも参照して説明する。図３は、自動改札システムを利用する前の段階において、システムのユーザが携帯電話装置１２によりチケット情報を購買する場合の処理を示すフローチャートである。ユーザは、先ず、チケット販売センタ（以下、販売センタと称す）１５の電話番号に発呼する（ステップＡ１）。すると、販売センタ１５側のサーバ等（例えば、インターネット上のＷｅｂサーバでも良い）より携帯電話装置１２に対してデータがダウンロードされ、携帯電話装置１２のディスプレイ１２ｂには、チケット購入用の画面が表示される（ステップＡ２）。
【００２４】
続いて、ユーザは、購入するチケットの種類を適宜選択すると（ステップＡ３）、その選択したチケットを購入する場合は（ステップＡ４，「ＹＥＳ」）、携帯電話装置１２の制御部１８がもう１度その内容をユーザに確認させる（ステップＡ５）。そして、ユーザが再度購入することを選択した場合は（ステップＡ６，「ＹＥＳ」）、制御部１８は、ＲＦ部１７により販売センタ１５側にその旨の通知を行う（ステップＡ７）。
【００２５】
一方、ステップＡ４，Ａ６の何れかにおいてユーザがチケットの購入を選択しなかった場合には、制御部１８は、購入を取り止めるかどうかをユーザに確認させる（ステップＡ１０）。そして、ユーザが購入を取り止めた場合は（「ＹＥＳ」）処理を終了し、ユーザが購入するための処理を続行する場合は（「ＮＯ」）ステップＡ２に戻る。
【００２６】
また、ステップＡ７で販売センタ１５側にチケット購入の通知を行うと、販売センタ１５側より購入の確認情報（チケット情報及び必要に応じてセキュリティ情報を含む）が返信される（ステップＡ８）。すると、制御部１８は、ＩＣタグ１３の制御部１９にチケット情報（及び必要に応じてセキュリティ情報）をコンタクト１３ａ（及び図示しないデータバッファ等）を介して転送し、転送した情報データをメモリー２０に書き込ませると（ステップＡ９）処理を終了する。  尚、ステップＡ９におけるデータの書き込み処理を行う場合には、前述のように、電話部１２ａの電源部１００がＩＣタグ１３側に動作用電源の供給を行う。
【００２７】
ここで、チケット情報は、例えばスキー場の利用券である場合は、利用対象となるスキー場のＩＤ情報と、半日券，１日券〜３日券，シーズン券や回数券などの券種と金額などである。その他、例えばリフトの種類によって回数券の使用枚数が異なる場合には各リフト毎の使用枚数や、各コースの紹介（難易度など）も適宜含むようにする。
【００２８】
尚、チケットの購入代金は、例えば、販売センタ１５のサーバにアクセスしたことによりその際の通信料金に課金したり、または、銀行の口座番号を販売センタ１５に登録して自動引き落としさせたり、ユーザが銀行，郵便局或いはコンビニエンスストアなどにおいて直接振り込むようにさせても良い。
【００２９】
以上のようにして、ユーザが所持する携帯電話装置１２に収納されるＩＣタグ１３のメモリー２０にチケット購入情報が書き込まれると、ユーザは、その携帯電話装置１２を携帯して目的とする自動改札装置１１を通過する。
【００３０】
図４は、携帯電話装置１２を携帯したユーザがスキー場に設置されている自動改札装置１１を通過する場合における、自動改札装置１１とＩＣタグ１３との間で行われる通信シーケンスを示す図である。自動改札装置１１は、外部に対して間欠的に起動信号を送信しながらＩＣタグ１３より応答が返るまで待機している。尚、起動信号は、何らかのデータ等を送信するために変調された信号ではなく、単にＩＣタグ１３の内部回路に動作用電源を供給するために送信される電波信号である。
【００３１】
そして、ユーザが自動改札装置１１に接近し、携帯電話装置１２内部のＩＣタグ１３が起動信号を受信すると、その起動信号により電力作成部２６が動作用電源を作成して制御部１９などに供給する。すると、制御部１９が起動してメモリー２０に記憶されているチケット情報を読み出し、自動改札装置１１側に送信するべき情報を送信する。例えば、利用対象スキー場のＩＤ情報とそのスキー場を利用可能な日付のデータ（例えば、利用日が指定されている２日券であれば、１２月１６日・１７日等）である。
【００３２】
チケット情報を受信した自動改札装置１１の制御部２３は、そのチケット情報が自動改札装置１１が設置されているスキー場を利用対象とするものか、また、利用可能日を当日の日付と照合して、そのチケット情報の日付が当日利用可能なものかどうかを確認する。そして、その日付が当日利用可能なものである場合、制御部２３は、改札のゲートを開いてユーザの通過を許可し、利用不能なものである場合は、改札のゲートを閉状態のままにしてユーザの通過を禁止する。
【００３３】
尚、図４に示す通信シーケンスは、図３に示すフローに従ってユーザが一旦ＩＣタグ１３にチケット情報を書き込めば、ＩＣタグ１３を携帯電話装置１２より取り外しユーザがＩＣタグ１３だけを携帯して自動改札装置１１を通過する場合でも、全く同様に通信が行われることは言うまでもない。
【００３４】
以上のように本実施例によれば、携帯電話装置１２の内部にＩＣタグ１３を収納して、そのＩＣタグ１３を、自動改札装置１１より送信される起動信号によって動作用電力の供給を受けて自動改札装置１１との通信が可能となるように構成した。そして、ユーザが、携帯電話装置１２によって販売センタ１５と通信を行うことで、自動改札装置１１に対応するチケット情報を取得すると、携帯電話装置１２の制御部１８がチケット情報をＩＣタグ１３のメモリー２０に書き込むようにした。
【００３５】
従って、ユーザは、従来のようにＩＣカードを購入するために長時間並ぶ必要はなく、スキー場のような施設などをより容易に利用することができる。また、携帯電話装置１２の電源が投入されていない状態でも、ＩＣタグ１３は、自動改札装置１１より送信される起動信号により動作用電力の供給を受けて独立に動作できるので、利便性が向上する。また、携帯電話装置１２のバッテリの消耗を抑制することもできる。
【００３６】
（第２実施例）
図５は本発明の第２実施例を示すものである。第２実施例の構成は、基本的に第１実施例と同様であるが、ユーザが携帯電話装置１２により販売センタ１５に電話して、販売センタ１５のオペレータと通話することでチケット情報を取得する部分が異なっている。以下、その部分を図５を参照して説明する。
【００３７】
ユーザは、先ず、販売センタ１５に電話し（ステップＢ１）、販売センタ１５のオペレータに購入したいチケットの内容を伝える（ステップＢ２）。すると、オペレータは、そのチケットの購入内容を確認し（ステップＢ３）、続いてそのチケットがあるかどうかをも確認する（ステップＢ４）。チケットがある場合  （「有る」）、オペレータはユーザに当該チケットの購入内容を確認するための問い合わせを行う（ステップＢ５）。
【００３８】
ユーザがチケットを購入する場合（「購入」）、オペレータはユーザにチケットの購入方法を確認する（ステップＢ６）。チケットの購入方法は、例えば、
▲１▼銀行振込
▲２▼郵便局振込
▲３▼現金書留
▲４▼キャッシュカードによる振込
▲５▼通話料に課金
▲６▼コンビニエンスストアで支払
などのオプションがある。
【００３９】
ユーザが、選択したチケットの購入方法をオペレータに伝えると（ステップＢ７）、オペレータは、ユーザの購入情報（及び必要に応じてセキュリティ情報）並びにチケット購入情報をサーバ等に登録し（ステップＢ８）、ユーザが選択したチケットの購入方法に応じた処理を行う（ステップＢ９）。それから、オペレータは、チケット購入情報を携帯電話装置１２に対して送信する（ステップＢ１０）。尚、ここでのチケット購入情報の送信は、通話とは別のデータ通信によって行う。
【００４０】
すると、携帯電話装置１２の制御部１８は、販売センタ１５側より送信されたチケット購入情報をＩＣタグ１３側に転送し、メモリー２０に書き込ませる（ステップＢ１１）。そして、ユーザが電話を切って通話を終了すると（ステップＢ１２）、処理を終了する。
【００４１】
また、ステップＢ４においてユーザが購入を希望したチケットがなかったり  （「ない」）、ステップＢ５においてユーザがチケットの購入を取り止めた場合は（「購入を止める」）、オペレータはユーザに他のチケットを購入するか否かを選択させる（ステップＢ１３）。そして、ユーザが他のチケットの購入を選択した場合は（「ＹＥＳ」）ステップＢ２に移行し、他のチケットの購入を選択しなかった場合は（「ＮＯ」）ステップＢ１２に移行する。
【００４２】
以上のように第２実施例によれば、ユーザは、携帯電話装置１２によって販売センタ１５のオペレータと通話しながらチケット情報を取得することができるので、第１実施例と同様の効果が得られる。
【００４３】
（第３実施例）
図６は本発明の第３実施例を示すものであり、第１実施例と同一部分には同一符号を付して説明を省略し、以下異なる部分についてのみ説明する。第３実施例では、携帯電話装置１２Ａの制御部１８Ａは、ＩＣタグ１３Ａの制御部１９を介すことなく、メモリー２０にデータを直接書き込むことができるようになっている。即ち、ＩＣタグ１３Ａが携帯電話装置１２Ａの内部に収納された場合、制御部１８Ａのバスは、コンタクト１３ａを介してＩＣタグ１３Ａ内のバスに接続されるようになっている。そして、この場合、電話部１２ａの電源部１００は、メモリー２０にだけ動作用電源を供給するようになっている。その他の構成は第１実施例と同様である。
以上のように構成された第３実施例によれば、第１実施例と同様の効果が得られる。
【００４４】
（第４実施例）
図７は本発明の第４実施例を示すものであり、第１実施例と同一部分には同一符号を付して説明を省略し、以下異なる部分についてのみ説明する。第４実施例では、携帯電話装置２７は、ＩＣタグ１３とは別個にＳＩＭ(Subscriber Identification Module)カード（ＩＣカード）２８を内部に収納可能に構成されている。そして、この場合、第１実施例と同様にしてチケット情報を取得した場合に、そのチケット情報の取得に要した料金は、ＳＩＭカード２８を利用して徴収されるようになっている。
【００４５】
即ち、ＳＩＭカード２８にはユーザのＩＤ情報が記録されているので、第１実施例と同様に、販売センタ１５のサーバにアクセスした際に、当該サーバはＳＩＭカード２８よりユーザのＩＤ情報を読み出すことになる。従って、ＳＩＭカード２８に記録されているＩＤ情報に基づいて料金を徴収することができる。
【００４６】
以上のように構成された第４実施例によれば、ＳＩＭカード２８に対応した携帯電話装置２７に対しても第１実施例と同様に本発明を適用することができるので、１台の携帯電話装置２７を夫々のＳＩＭカード２８を所持した複数のユーザによって使用することが可能となり、利便性が向上する。
【００４７】
（第５実施例）
図８は本発明の第５実施例を示すものであり、第１または第４実施例と同一部分には同一符号を付して説明を省略し、以下異なる部分についてのみ説明する。第５実施例では、携帯電話装置２９は、ＩＣタグ１３とＳＩＭカード２８とが一体となっているＩＣタグ部３０を内部に収納可能に構成されている。ＩＣタグ部３０は、ＩＣタグ１３のコンタクト１３ａとＳＩＭカード２８のコンタクト（図示せず）とを両方備えており、電話部２９ａとの接続は、夫々のコンタクトによって別個に行われるようになっている。
【００４８】
そして、ＳＩＭカード２８に対しては、携帯電話装置２９の電源投入時には電話部２９ａの電源部１００より常に電源が供給され、ＩＣタグ１３に対しては第１実施例と同様にして電源が供給されるようになっている。その他構成は第１実施例と同様である。
【００４９】
以上のように構成された第５実施例によれば、ＩＣタグ１３とＳＩＭカード２８とを一体にしてＩＣタグ部３０を構成するので、携帯電話装置２９の収納スペースをより小さくすることができる。
【００５０】
（第６実施例）
図９は本発明の第６実施例を示すものであり、第３または第５実施例と同一部分には同一符号を付して説明を省略し、以下異なる部分についてのみ説明する。第６実施例では、携帯電話装置２９Ａは、第５実施例と同様に、ＩＣタグ１３とＳＩＭカード２８とが一体となっているＩＣタグ部３０Ａを内部に収納可能に構成されている。そして、電話部２９ａの制御部１８Ａは、第３実施例と同様にＩＣタグ１３Ａのメモリー２０にデータを直接書き込むことができるようになっている。
以上のように構成された第６実施例によれば、第５実施例と同様の効果が得られる。
【００５１】
（第７実施例）
図１０は本発明の第７実施例を示すものであり、第１実施例と同一部分には同一符号を付して説明を省略し、以下異なる部分についてのみ説明する。第７実施例では、携帯電話装置３１は、Bluetooth 通信部３２（以下、スレーブ通信部と称す）を収納している。そして、電話部３１ａの制御部３３は、スレーブ通信部３２を介して外部のキオスク端末３４との間でピコネットを形成し無線通信が可能に構成されている。
【００５２】
キオスク端末３４は、例えば、コンビニエンスストア，ＣＤショップ或いはキオスクなどに設置されている情報端末であり、来店者が自由に使用できるように開放されている。このキオスク端末３４は、販売センタ１５と電話回線などを介してオンラインで接続されており、販売センタ１５のホスト（図示せず）に保持されているチケット情報をダウンロードできるようになっている。そして、キオスク端末３４側もBluetooth 通信部（以下、マスタ通信部と称す，図示せず）を収納しており、「問い合わせ」のためのＩＱパケットを一定間隔で送信している。
【００５３】
次に、第７実施例の作用について説明する。携帯電話装置３１は、第１実施例と全く同様の方式で販売センタ１５よりチケット情報を取得することができるが、近くにキオスク端末３４が存在する場合には、Bluetooth のプロトコルによる無線通信によってキオスク端末３４からチケット情報を取得できるようになっている。
【００５４】
即ち、携帯電話装置３１のスレーブ通信部３２は、携帯電話装置３１に電源が投入されていれば常に「待ち受けフェーズ」にある。そして、携帯電話装置３１を所持したユーザがキオスク端末３４に近付き、キオスク端末３４側のマスタ通信部が送信しているＩＱパケットをスレーブ通信部３２が受信すると、スレーブ通信部３２は、ＦＨＳパケットをキオスク端末３４側に送信する（「問い合わせ」）。
【００５５】
そして、キオスク端末３４側が受信したＦＨＳパケットによってスレーブ通信部３２を認識し、通信対象として選択すると、マスタ通信部はＩＤパケットを送信する。スレーブ通信部３２がＩＤパケットの受信に対する応答をマスタ通信部に返すと、マスタ通信部は、ＦＨＳパケットをスレーブ通信部３２側に送信する（「呼び出し」）。スレーブ通信部３２は、そのＦＨＳパケットを受信することでマスタ通信部のBluetooth アドレス及びクロックを知ることができる。以上が同期確立フェーズである。
【００５６】
それから、通信接続フェーズに移行すると、種々の制御パケットを転送する  「接続」状態を経ると、「データ転送」においてマスタ−スレーブ間におけるデータパケットの転送が行われる。その内容については、第１実施例において販売センタ１５との間で行われた転送内容と同様である。
そして、データ転送が終了し、両者間におけるピコネットの通信リンクが切断されると、スレーブ通信部３２は、待ち受けフェーズに移行する。
【００５７】
以上のように第７実施例によれば、携帯電話装置３１の内部にBluetooth 通信部３２を収納して、外部のキオスク端末３４との無線通信によってもチケット情報の取得ができるようにしたので、ユーザは、より柔軟な形態でチケット情報を取得することができる。
【００５８】
（第８実施例）
図１１は本発明の第８実施例を示すものであり、第７実施例と同一部分には同一符号を付して説明を省略し、以下異なる部分についてのみ説明する。第８実施例では、携帯電話装置３５は、第７実施例におけるBluetooth 通信部３２に代えて、シリアル通信インターフェイスであるＵＳＢ(Universal Serial Bus)通信部３６を収納している。そして、電話部３５ａの制御部３７は、ＵＳＢ通信部３６を介して外部のキオスク端末３８（ホスト）との通信が可能に構成されている。即ち、キオスク端末３８の内部にも図示しないＵＳＢ通信部が収納されている。そして、キオスク端末３８側には、ＵＳＢケーブル３９が用意されており、デバイスたる携帯電話装置３５のＵＳＢ通信部３６がその一端に接続可能となっている。
【００５９】
次に、第８実施例の作用について説明する。携帯電話装置３５を所持したユーザがキオスク端末３８に近付き、ＵＳＢケーブル３９の一端を帯電話装置３５のＵＳＢ通信部３６に接続（プラグ・イン）すると、キオスク端末３８側は、新たに接続されたデバイスがあることを認識し（アタッチド）、ＵＳＢ通信部３６は、キオスク端末３８側より電源供給を受けると共にリセットされる（パワード）。
【００６０】
ＵＳＢ通信部３６は、リセットが解除されると、コンフィギュレーション情報をキオスク端末３８側に送信し（デフォルト）、キオスク端末３８は、ＵＳＢ通信部３６にデバイスアドレスを割り付ける（アドレス）。そして、キオスク端末３８は、ＵＳＢ通信部３６に対してコンフィギュレーション値を設定する（コンフィギュアド）。以上でＵＳＢのプロセスであるエニュメレーションが終了し、デバイスはホストにより使用が可能な状態となる。移行は、ホスト−デバイス間におけるデータパケットの転送が行われる。その内容については、第１実施例において販売センタ１５との間で行われた転送内容と同様である。
【００６１】
以上のように第８実施例によれば、携帯電話装置３５のＵＳＢ通信部３６を収納して、外部のキオスク端末３８とのシリアル通信によってもチケット情報の取得ができるようにしたので、第７実施例と同様に、ユーザは、より柔軟な形態でチケット情報を取得することができる。
【００６２】
（第９実施例）
図１２及び図１３は本発明の第９実施例を示すものであり、第１実施例と同一部分には同一符号を付して説明を省略し、以下異なる部分についてのみ説明する。第９実施例では、携帯電話装置４０は、ＩＣタグを、ＩＣタグ１３のようなＩＣカードの規格に準拠した形態のものに代えて、メモリーカードの規格に準拠した形態のメモリーカード４１を収納するようにしたものである。
【００６３】
ここでいうメモリーカードとは、例えば、ＳＤメモリー，メモリースティック，マジックゲートメモリースティック，メモリースティックＤＵＯ，マルチメディアカード，セキュアマルチメディアカード，スマートメディア，セキュアスマートメディア，コンパクトフラッシュ等の総称として用いている。
そして、メモリーカード４１の内部構成は、第１実施例のＩＣタグ１３と全く同様である。
【００６４】
以上のように構成された第９実施例によれば、メモリーカード４１のメモリー２０にチケット情報を書き込む方式は第１実施例と同様に行われる。そして、一旦チケット情報を書き込めば、そのメモリーカード４１は、ＩＣタグ１３と同様に携帯電話装置４０より取り外して単独で使用することができる。更に、メモリーカード４１は、図１３に示すように、メモリーカードの規格に準拠したスロットを備えている他の製品４２、例えば、時計，ペンダント，ＰＤＡ(Personal Digital Assistants) ，ボイスレコーダ，デジタルカメラ，デジタルビデオカメラ，パソコンなどに挿入した状態で使用することも可能である。
【００６５】
そして、メモリーカード４１は、メモリー２０の容量を適切に設定することで、挿入された製品に対応する本来の補助記憶媒体として、音声，画像，動画，テキスト等の各種データを記憶させることができることは言うまでもない。
【００６６】
以上のように構成された第９実施例によれば、ＩＣタグを、メモリーカード４１としたので、メモリーカードに対応したスロットを備えた他の製品４２に挿入してより多様な形態で使用することができる。
【００６７】
（第１０実施例）
図１４及び図１５は本発明の第１０実施例を示すものであり、第９実施例と同一部分には同一符号を付して説明を省略し、以下異なる部分についてのみ説明する。第１０実施例では、携帯電話装置４３は、電話部１２ａと同様に構成される電話部４３ａを備え、ＩＣタグ１３に代えて、第９実施例のメモリカード４１のようにメモリーカードの規格に準拠した形態のメモリーカード（データ記録媒体）４４を収納するように構成されている。
【００６８】
このメモリーカード４４、一般的なメモリーカードの構成であり、必要なデータを記憶させるためのメモリー４５と、そのメモリー４５に対して書き込み及び読出しを行う制御部４６とを備えている。そして、電話部４３ａの制御部１８は、メモリーカード４４の制御部４６を介してメモリー４５にデータを書き込むことができるようになっている。
【００６９】
一方、図１５に示す通信装置４７は、ＩＣタグ１３を収納可能に構成されている。そして、通信装置４７本体として、電話部１２ａの制御部１８及び電源部１００と同様の制御部４８及び電源部４９を備えている。更に、通信装置４７は、メモリーカード４４をも収納可能に構成されている。
【００７０】
通信装置４７は、メモリーカード４４が収納されると電源部４９によって動作用電源を供給するようになっている。そして、制御部４８は、メモリーカード４４の制御部４６を介してメモリー４５のデータを読み出すことができるようになっている。また、電源部４９は、電源部１００と同様に制御部４８がＩＣタグ１３のメモリ−２０にデータを書き込む場合だけＩＣタグ１３に動作用電源を供給するようになっている。
【００７１】
次に、第１０実施例の作用について説明する。第１０実施例では、ユーザは携帯電話装置４３により第１実施例と同様に、販売センタ１５と通信することでチケット情報データを取得すると、そのチケット情報データをメモリーカード４４のメモリー４５に書き込む。そして、データを書き込んだメモリーカード４４を携帯電話装置４３より取り外すと、取り外したメモリーカード４４を通信装置４７に収納する。
【００７２】
すると、通信装置４７の制御部４８は、メモリーカード４４のメモリー４５からチケット情報データを読み出して、そのデータをＩＣタグ１３のメモリー２０に書き込む。その後は第１実施例と同様に、通信装置４７を携帯したユーザが自動改札装置１１を利用する際には、自動改札装置１１とＩＣタグ１３との間で通信が行われる。
【００７３】
以上のように第１０実施例によれば、ユーザが、携帯電話装置４３によって販売センタ１５と通信を行うことでチケット情報データを取得すると、携帯電話装置４３が取得したデータをメモリカード４４に書き込み、ユーザが、そのメモリーカード４４を通信装置４７に収納させた状態で自動改札装置１１を利用するようにした。従って、第１実施例と同様の効果が得られる。
【００７４】
（第１１実施例）
図１６は、第１実施例におけるＩＣタグ１３に対して、例えばプリペイドカードのように施設などの利用可能な金額情報がチケット情報として書き込まれている例であり、ユーザが、自動改札装置１１を通過する毎に利用金額が減算されて、ＩＣタグ１３のメモリー２０のデータが書き換えられる場合の例である。この場合、チケット情報としては、ＩＣタグ１３側のデータを書き換えることによるセキュリティを向上させるため、セキュリティ情報も含まれている。
【００７５】
即ち、ユーザが自動改札装置１１に接近し、携帯電話装置１２内部のＩＣタグ１３が起動信号を受信すると、制御部１９が起動してメモリー２０に記憶されているセキュリティ情報を読み出し、自動改札装置１１側に送信する。セキュリティ情報を受信した自動改札装置１１の制御部２３は、そのセキュリティ情報が適格なもの（即ち、適性に使用されているもの）であるかを確認すると、ＩＣタグ１３側に確認応答を送信する。確認応答を受信したＩＣタグ１３は、メモリー２０に記憶されている利用可能金額情報を読み出し、自動改札装置１１側に送信する。
【００７６】
利用可能金額情報を受信した自動改札装置１１の制御部２３は、その利用可能金額から今回の利用金額を減算し、残金額情報をＩＣタグ１３側に送信する。また、この場合、受信した利用可能金額が今回の利用金額に満たない場合には、利用不能であることを示す応答をＩＣタグ１３に返し、改札のゲートを閉状態のままにしてユーザの通過を禁止する。
【００７７】
残金額情報を受信したＩＣタグ１３は、その情報をメモリー２０に書き込んで記憶させると、受信応答を自動改札装置１１側に送信する。そして、自動改札装置１１の制御部２３は、改札のゲートを開いてユーザの通過を許可する。
【００７８】
以上のように第１１実施例によれば、ＩＣタグ１３がプリペイドカードのように利用可能な金額情報が書き換えられる場合でも、本発明を同様に適用することができる。
【００７９】
本発明は上記し且つ図面に記載した実施例にのみ限定されるものではなく、次のような変形または拡張が可能である。
第４実施例を、図１７のように変形して実施しても良い。図１７では、メモリー２０が携帯電話装置２７Ａの電話部２７Ａａ内に配置されており、電話部２７ＡａとＩＣタグ１３Ｂとでメモリー２０を共用するようになっている。斯様に構成した場合でも、携帯電話装置２７Ａに電源が投入されていない状態で自動改札装置１１を通過する際には、電力作成部２６によって作成された動作用電源をメモリー２０にも供給するようにして、ＩＣタグ１３Ｂの制御部１９がメモリー２０のデータを読み出せるようにすれば良い。
【００８０】
ＩＣタグ１３に対する動作用電源を、電力作成部２６と電源部１００との論理和を取る形態で供給するように構成しても良い。また、例えば第１実施例において、自動改札装置１１を通過する際に携帯電話装置１２の電源が供給されている場合には、電源部１００よりＩＣタグ１３に動作用電源を供給するように構成しても良い。斯様に構成すれば、自動改札装置１１と携帯電話装置１２との通信距離をより長くすることができるので、ユーザは、携帯電話装置１２をポケットや鞄の中などから取り出して自動改札装置１１に近付けたりすることなくそのままの状態でも利用することが可能となり、利便性を向上させることができる。
【００８１】
チケット情報がスキー場の利用回数券である場合は、利用回数情報と共にそのチケット情報のＩＤ情報を自動改札装置１１側に送信し、自動改札装置１１側でそれらの情報を回数券の有効期間内だけ記憶しておく。そして、ユーザが自動改札装置１１を通過する毎に、自動改札装置１１側に記憶させておいた利用回数情報をデクリメントして行くようにすれば良い。或いは、第１１実施例のように、ＩＤタグ１３側でメモリー２０の内容を毎回書き替えるようにしても良い。また、利用日が予め指定されていない２日券，３日券などについても、同様に処理すれば良い。
【００８２】
第２実施例のステップＢ９において、通話とデータ通信とを並行して行うことができない携帯電話システムでは、一旦オペレータとの通話を終了した直後にデータ通信を行うことでチケット購入情報を送信するようにすれば良い。
第４実施例において、ＳＩＭカード２８に代えて、銀行の預金システムや振込システムなどに使用されるＩＣカードを用いても良い。斯様なＩＣカードには、やはりユーザのＩＤ情報が記録されているので、本発明を同様に適用することができる。
【００８３】
また、料金の徴収形態は、その他、例えば、チケット情報取得のための通信時にはＳＩＭカード２８或いはＩＣカードにその料金の情報（課金情報）を記録させ、通信終了後に販売センタ１５或いは銀行のサーバが携帯電話装置２７に別途アクセスし、カード内に記録されている料金情報を読み出すことで徴収するようにしても良い。尚、通信終了直後でなくとも、一定期間毎に料金徴収用のアクセスを行うようにしても良い。更に、Ｗ−ＣＤＭＡのようなマルチコールが可能な電話システムであれば、チケット情報取得のための通信と同時に銀行のサーバに対してもアクセスを行い、料金徴収のための通信を並行して行うようにしても良い。
【００８４】
チケット情報は、利用対象の施設に応じて適宜変更すれば良い。例えば、施設が映画館である場合は、上映内容のタイトルや上映時間、簡単な内容や見所の紹介、予約席、女性専用席の予約などである。また、鉄道の定期券であれば、利用区間両端の駅名及び利用開始期間，終了開始期間及び金額などである。
第１実施例のように、単に、ＩＣタグ１３に記憶されているチケット情報を自動改札装置１１側に送信するだけのシステム構成である場合には、ＩＣタグ１３の受信系２１を削除しても良い。
第４実施例において、ＩＣカードは、ＳＩＭカード２８に限ることなく、銀行のオンラインシステムに使用されるＩＣカード等でも良い。
空中伝搬信号信号は、電波信号に限ること無く磁気信号などでも良い。
携帯電話装置は、自動車電話装置やＰＨＳ(Personal Handyphone System)も含むものとする。
【図面の簡単な説明】
【図１】本発明の第１実施例であり、自動改札システム全体の構成を示す機能ブロック図
【図２】携帯電話装置及びＩＣタグの外観構成を示す（ａ）平面図、（ｂ）底面図
【図３】システムのユーザが携帯電話装置によりチケット情報を購買する場合の処理を示すフローチャート
【図４】ユーザがスキー場に設置されている自動改札装置を通過する場合に、ＩＣタグとの間で行われる通信シーケンスを示す図
【図５】本発明の第２実施例を示す図３相当図
【図６】本発明の第３実施例を示す図１相当図
【図７】本発明の第４実施例を示す図１相当図
【図８】本発明の第５実施例を示す図１相当図
【図９】本発明の第６実施例を示す図１相当図
【図１０】本発明の第７実施例を示す図１相当図
【図１１】本発明の第８実施例を示す図１相当図
【図１２】本発明の第９実施例を示す図１相当図
【図１３】チケット情報が書き込まれたＩＣタグを他の製品に挿入して自動改札システムに使用する場合を示す機能ブロック図
【図１４】本発明の第１０実施例であり、携帯電話装置に内蔵されるメモリーカードにデータを書き込む場合を示す機能ブロック図
【図１５】チケット情報が書き込まれたメモリーカードを他の製品に挿入して自動改札システムに使用する場合を示す機能ブロック図
【図１６】本発明の第１１実施例を示す図４相当図
【図１７】変形例を示す図１相当図
【図１８】従来の自動改札システムの一例を示す図（その１）
【図１９】従来の自動改札システムの一例を示す図（その２）
【符号の説明】
１１は自動改札装置、１２，１２Ａは携帯電話装置、１３，１３ＡはＩＣタグ、１５はチケット販売センタ、２０はメモリー（記憶手段）、２７は携帯電話装置、２８はＳＩＭカード（ＩＣカード）、２９，２９Ａ，３１は携帯電話装置、３２はBluetooth 通信部、３４はキオスク端末、３５は携帯電話装置、３６はBluetooth 通信部、３８はキオスク端末、４０は携帯電話装置、４１はメモリーカード（ＩＣタグ）、４２は製品、４３は携帯電話装置、４４はメモリーカード（データ記録媒体）、４７は通信装置を示す。
【図１】
0003800010.tif 000002
【図２】
0003800010.tif 000003
【図３】
0003800010.tif 000004
【図４】
0003800010.tif 000005
【図５】
0003800010.tif 000006
【図６】
0003800010.tif 000007
【図７】
0003800010.tif 000008
【図８】
0003800010.tif 000009
【図９】
0003800010.tif 000010
【図１０】
0003800010.tif 000011
【図１１】
0003800010.tif 000012
【図１２】
0003800010.tif 000013
【図１３】
0003800010.tif 000014
【図１４】
0003800010.tif 000015
【図１５】
0003800010.tif 000016
【図１６】
0003800010.tif 000017
【図１７】
0003800010.tif 000018
【図１８】
0003800010.tif 000019
【図１９】
0003800010.tif 000020